(57)【要約】      （修正有）【課題】快適、サポート性、通風、通気、水蒸気及び熱気排出に優れたマットレス構造を提供する。【解決手段】マットレス構造１００は面層１０及び底層２０を有する。面層１０は多数の第一中空管体１１が配列して構成され、第一中空管体は軸方向に貫通孔１２を有する。底層２０は多数の第二中空管体２１が配列して構成され、第二中空管体は軸方向に貫通孔を有する。第二中空管体２１と第一中空管体１１とは交差配置を呈して固定される。マットレス構造１００は封鎖辺３０をさらに有し、封鎖辺は辺テープ３１及び若干の第一凸ほぞ３２を有する。第一凸ほぞ３２は辺テープ３１の径方向上に設置され、第一中空管体の貫通孔１２に挿入され、これにより第一中空管体内に気室を形成する。【選択図】図２
0003201611.tif 000002
【実用新案登録請求の範囲】
【請求項１】
マットレス構造は、面層、底層を有し、
前記面層は、多数の第一中空管体が配列して構成され、前記第一中空管体は、軸方向に貫通孔を備え、
前記底層は、多数の第二中空管体が配列して構成され、前記第二中空管体は、軸方向に貫通孔を有し、且つ前記底層の第二中空管体と前記面層の第一中空管体は、交差配置を呈して一体に固定されることを特徴とするマットレス構造。
【請求項２】
前記マットレス構造は、封鎖辺をさらに有し、
前記封鎖辺は、辺テープ及び若干の第一凸ほぞを有し、
前記各第一凸ほぞは、辺テープの径方向上に設置され、前記第一中空管体に対応し、
前記辺テープは、前記第一中空管体末端に配置され、且つ前記第一凸ほぞは、前記第一中空管体の貫通孔に挿入されることを特徴とする請求項１に記載のマットレス構造。
【請求項３】
前記マットレス構造は、封鎖辺をさらに有し、及び前記第一中空管体の間には、間隔を有し、
前記封鎖辺は、辺テープ、若干の第一凸ほぞ及び若干の第二凸ほぞを有し、前記第一凸ほぞ及び前記第二凸ほぞは、前記辺テープの径方向上に間隔を開けて配置し、且つ前記第一凸ほぞは、前記第一中空管体の貫通孔に対応し、前記貫通孔中に挿入され、前記第二凸ほぞは、前記第一中空管体と前記第一中空管体との間の間隔に対応し、間隔中に挿入されて固定されることを特徴とする請求項１に記載のマットレス構造。
【請求項４】
前記第二凸ほぞは、前記辺テープより前記マットレス方向へ向かい、さらに下方へと傾斜して斜面を有することを特徴とする請求項３に記載のマットレス構造。
【請求項５】
前記辺テープは、外へ向かい、さらに下方へと傾斜し斜面を有することを特徴とする請求項２或いは３に記載のマットレス構造。
【請求項６】
前記第一中空管体と前記第二中空管体とは、９０度交差を呈して配置されることを特徴とする請求項１乃至３の任意の一項に記載のマットレス構造。
【請求項７】
前記第一中空管体と前記第二中空管体は、ゴム、プラスチック、ラテックス或いはシリコン材料を採用することを特徴とする請求項１に記載のマットレス構造。
【請求項８】
前記第一中空管体両側の貫通孔は、前記第一凸ほぞにより封鎖され、気室を形成することを特徴とする請求項２或いは３に記載のマットレス構造。
【請求項９】
前記第一中空管体及び前記第二中空管体は、それぞれ２個の貫通孔を有することを特徴とする請求項１に記載のマットレス構造。
【考案の詳細な説明】
【技術分野】
【０００１】
本考案はマットレス構造に関し、特に通風及び排水性に優れ、弾性を備え快適なマットレス構造に関する。
【背景技術】
【０００２】
人は一生の三分の一の時間を休息或いは睡眠に当てている。
よって、ベッドは非常に重要である。
【０００３】
一般のベッドは、硬板ベット、ラテックスベッド及びスプリングベッドの三種に分けられる。
内、硬板ベッドは硬過ぎ、且つ人体の熱や湿気を排除できないため、使用感が不快である。
ラテックスベッドは、サポート性、湿気排出、排熱が不十分という問題がある。
スプリングベッドにも湿気排出、排熱が不十分という問題がある。
そのため、使用の快適性に問題があった。
【考案の概要】
【考案が解決しようとする課題】
【０００４】
本考案が解決しようとする課題は、良好なサポート性、弾性、快適性を備え、マットレスに良好な通風及び通気性を提供でき、湿気及び熱気を排除し乾燥してさわやかな状態を保持できるマットレス構造を提供することである。
【課題を解決するための手段】
【０００５】
上記課題を解決するため、本考案は下記のマットレス構造を提供する。
マットレス構造は、面層、底層を有する。
該面層は、多数の第一中空管体が配列して構成され、該第一中空管体は、軸方向に貫通孔を備える。
該底層は、多数の第二中空管体が配列して構成される。
該第二中空管体は、軸方向に貫通孔を有し、且つ該底層の第二中空管体と面層の第一中空管体は、交差配置を呈して一体に固定される。
【０００６】
本考案の一実施形態によるマットレス構造は、封鎖辺をさらに有する。
該封鎖辺は、辺テープ及び若干の第一凸ほぞを有し、該各第一凸ほぞは、辺テープの径方向上に設置され、該第一中空管体に対応し、該辺テープは、該第一中空管体末端に配置され、且つ該第一凸ほぞは、該第一中空管体の貫通孔に挿入される。
【０００７】
本考案の一実施形態によるマットレス構造は、封鎖辺をさらに有し、及び該第一中空管体の間には、間隔を有する。
該封鎖辺は、辺テープ、若干の第一凸ほぞ及び若干の第二凸ほぞを有し、該第一凸ほぞ及び該第二凸ほぞは、該辺テープの径方向上に間隔を開けて配置する。
且つ該第一凸ほぞは、該第一中空管体の貫通孔に対応し、該貫通孔中に挿入され、該第二凸ほぞは、該第一中空管体と該第一中空管体との間の間隔に対応し、間隔中に挿入されて固定される。
【０００８】
本考案の一実施形態によるマットレス構造において、該第二凸ほぞは、該辺テープより該マットレス方向へ向かい、さらに下方へと傾斜して斜面を有する。
【０００９】
本考案の一実施形態によるマットレス構造において、該辺テープは、外へ向かい、さらに下方へと傾斜し斜面を有する。
【００１０】
本考案の一実施形態によるマットレス構造において、該第一中空管体と該第二中空管体とは、９０度交差を呈して配置される。
【００１１】
本考案の一実施形態によるマットレス構造において、該第一中空管体と第二中空管体は、ゴム、プラスチック、ラテックス或いはシリコン材料を採用する。
【００１２】
本考案の一実施形態によるマットレス構造において、該第一中空管体両側の貫通孔は、該第一凸ほぞにより封鎖され、気室を形成する。
【００１３】
本考案の一実施形態によるマットレス構造において、該第一中空管体及び第二中空管体は、それぞれ２個の貫通孔を有する。
【考案の効果】
【００１４】
本考案のマットレス構造は、底層の第二中空管体の間隔排列を利用し、マットレスに最適な通風、排水及び通気効果を備えさせ、これにより使用時にマットレス及びマットレス底部に湿度や熱がたまることがなく、環境は常に乾燥した状態を保持され、細菌、カビ、蚊などの虫が発生しにくくなる。
底層及び面層に採用する弾性を備えた軟質の中空管体により、マットレスは良好な快適性及びサポート性を備える。
さらに、本考案のマットレス構造は簡易で、製造は自動化射出成型及びプレス成型とでき、コストが低廉で、高い経済的価値を備える。
【図面の簡単な説明】
【００１５】
【図１】本考案の一実施形態によるマットレス構造の立体外観図である。
【図２】本考案の一実施形態によるマットレス構造の立体分解図である。
【図３】本考案の一実施形態によるマットレス構造の底視図である。
【図４】本考案の一実施形態によるマットレス構造の中封鎖辺の上視図である。
【図５】本考案の一実施形態によるマットレス構造の部分断面俯視図である。
【図６】図１中の６−６線でカットされた断面図（一部分のみを示す）である。
【図７】図１中の７−７線でカットされた断面図である。
【図８】別の一実施形態の立体模式図である。
【考案を実施するための形態】
【００１６】
以下に図面を参照しながら本考案を実施するための最良の形態について詳細に説明する。
【００１７】
図１〜図７に示す通り、本考案一実施形態によるマットレス構造１００は、面層１０及び底層２０を有する。
【００１８】
実施形態において、面層１０は、多数の第一中空管体１１が配列して構成される。
第一中空管体１１は、軸方向に貫通孔１２を有し、表面には、滑止模様１５を設置する。
第一中空管体１１は、ゴム、プラスチック、ラテックス或いはシリコン等の弾性に優れた材料を採用する。
第一中空管体１１ともう一つの第一中空管体１１との間には、間隔１３を有する。
【００１９】
実施形態において、底層２０は、多数の第二中空管体２１が配列して構成される。
第二中空管体２１は、軸方向に貫通孔２２を有し、第二中空管体２１は、ゴム、プラスチック、ラテックス或いはシリコン等の弾性に優れた材料を採用する。
第二中空管体２１ともう一つの第二中空管体２１との間には、間隔２３を有する。
【００２０】
本実施形態において、第一中空管体１１中の貫通孔１２は一個であるが、多数個とすることもでき、図８には、２個の貫通孔１２を示す。
さらに、第二中空管体２１中の貫通孔２２は一個であるが、多数個とすることもでき、図８には、２個の貫通孔２２を示す。
【００２１】
実施形態において、底層２０の第二中空管体２１と面層１０の第一中空管体１１とは、交差配置を呈して固定される。
且つ好ましくは、第一中空管体１１と第二中空管体２１は９０度交差を呈し粘着接合して固定される。
製造工程では、プレス成型設備を使用して完成できるが、プレス成型設備は本考案請求の特徴ではないため、これ以上説明しない。
【００２２】
図１〜図７に示す通り、本実施形態のマットレス構造１００は封鎖辺３０をさらに有し、面層１０末端を封鎖する。
封鎖辺３０は、辺テープ３１、若干の第一凸ほぞ３２及び第二凸ほぞ３３を有する。
第一凸ほぞ３２及び第二凸ほぞ３３は、辺テープ３１の径方向上に間隔を開けて配置（図４）する。
第一凸ほぞ３２、第二凸ほぞ３３及び封鎖辺３０の辺テープ３１は、プラスチック材料一体成型を採用する。
【００２３】
第一凸ほぞ３２は、第一中空管体１１の貫通孔１２に対応し、貫通孔１２中に挿入され、第一中空管体１１両辺を封鎖する。
こうして、第一中空管体１１内には、気室を形成する。
第二凸ほぞ３３は、第一中空管体１１と第一中空管体１１との間の間隔１３に対応し、間隔１３中に挿入及び固定される。
さらに、高周波溶接設備により、第一凸ほぞ３２と第一中空管体１１をホットメルト粘着接合して固定し、第二凸ほぞ３３と第一中空管体１１及び第二中空管体２１をホットメルト粘着接合して固定する。
これにより、脱落を防止し、使用者の足が第一中空管体１１末端の切断部分を蹴ってしまう恐れを払拭することができる。
こうして、使用者を保護し、マットレス構造１００の強度を強化することができる。
また、第一中空管体１１は、第一凸ほぞ３２の設置を通して、内部に気室を形成するため、第一中空管体１１は、非常に優れた弾性、快適性及びサポート性を有する。
【００２４】
図７に示す通り、一実施形態では、封鎖辺３０の第二凸ほぞ３３は、辺テープ３１により、マットレス方向に向かいさらに下方へと傾斜して、斜面３４を有する。
これにより、使用者がこの位置に触れても、不快を感じたり、足に傷を負ったりすることがなく、使用者保護を達成することができる。
【００２５】
さらに、図１、図２、図６、図７に示す通り、一実施形態においては、辺テープ３１は外へ向かい、さらに下方へと傾斜して斜面３５を形成する。
これにより、使用者がこの位置を踏んでも、比較的快適に感じ、足に傷を負ったりしにくくなる。
【００２６】
上記は本考案一実施形態によるマットレス構造１００の構成部材、及びその組み立て方式の紹介である。
続いては、以下にその使用の特徴について説明する。
【００２７】
先ず、使用時には、底層２０を、地面或いはベット上に接着する。
その際には、面層１０を上に向け、底層２０の第二中空管体２１を間隔を開けて配列することで、マットレスは優れた通風、通気、排湿気効果を備える。
こうして、使用時にも、マットレス及びマットレス底部に湿度や熱がたまることがなく、環境は常に乾燥した状態を保持され、細菌、カビ、蚊などの虫が発生しにくくなる。
底層２０及び面層１０に採用する弾性を備えた軟質の中空管体により、良好な快適性及びサポート性を提供することができる。
【００２８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００２９】
１００  マットレス構造
１０  面層
２０  底層
１１  第一中空管体
１２  貫通孔
１５  滑止模様
１３  間隔
２１  第二中空管体
２２  貫通孔
２３  間隔
３０  封鎖辺
３１  辺テープ
３２  第一凸ほぞ
３３  第二凸ほぞ
３４  斜面
３５  斜面
【図１】
0003201611.tif 000003
【図２】
0003201611.tif 000004
【図３】
0003201611.tif 000005
【図４】
0003201611.tif 000006
【図５】
0003201611.tif 000007
【図６】
0003201611.tif 000008
【図７】
0003201611.tif 000009
【図８】
0003201611.tif 000010